(57)【要約】【目的】新たな広告宣伝機能を達成する新たなデザインを採用した筆記具を提供する。【構成】筒状の軸部材（８０）と、その軸部材（８０）の一端へ固定され、先端から有色インクを滲出させるペン先部材（１０）と、そのペン先部材（１０）の先端から滲み出る有色インクの一部を構成する透明インク用液体（３１）を収納する筒状のインク用カートリッジ（３０）と、前記透明インク用液体（３１）を有色インクへ着色する着色剤（２０）と、インク用カートリッジ（３０）内の透明インク用液体（３１）への着色剤（２０）の混入を規制するための規制部材（４０）とを備える。そして、前記インク用カートリッジ（３０）の筒側面部分の少なくとも一部および軸部材（８０）の対応箇所を透明とするとともに、インク用カートリッジ（３０）内には、透明インク用液体（３１）と同等比重で且つ視認可能な非溶解物（３２）を散在させる。【選択図】　　図１
2004050653.tif 000002
【特許請求の範囲】
【請求項１】
筒状の軸部材と、
その軸部材の一端へ固定され、先端から有色インクを滲出させるペン先部材と、
そのペン先部材の先端から滲み出る有色インクの一部を構成する前記軸部材に収納された透明インク用液体と、
前記透明インク用液体を有色インクへ着色する着色剤と、
前記軸部材内の透明インク用液体への着色剤の混入を規制するための規制部材とを備え、
前記軸部材の筒側面のうち透明インク用液体が収納された部分の少なくとも一部を透明とするとともに、
透明インク用液体内には、透明インク用液体と同等比重で且つ視認可能な非溶解物を散在させたことを特徴とする筆記具。
【請求項２】
筒状の軸部材と、
その軸部材の一端へ固定され、先端から有色インクを滲出させるペン先部材と、
そのペン先部材の先端から滲み出る有色インクの一部を構成する前記軸部材に収納された透明インク用液体と、
前記透明インク用液体を有色インクへ着色する着色剤と、
前記軸部材内の透明インク用液体への着色剤の混入を規制するための規制部材とを備え、
前記軸部材の筒側面のうち透明インク用液体が収納された部分の少なくとも一部を透明とするとともに、
透明インク用液体内には、透明インク用液体を着色剤にて着色して形成する有色インクと同色の視認可能な非溶解物を散在させたことを特徴とする筆記具。
【請求項３】
筒状の軸部材と、
その軸部材の一端へ固定され、先端から有色インクを滲出させるペン先部材と、
そのペン先部材の先端から滲み出る有色インクの一部を構成する前記軸部材に収納された透明インク用液体と、
前記透明インク用液体を有色インクへ着色する着色剤と、
前記軸部材内の透明インク用液体への着色剤の混入を規制するための規制部材とを備え、
前記軸部材の筒側面のうち透明インク用液体が収納された部分の少なくとも一部を透明とするとともに、
透明インク用液体内には、透明インク用液体と同等比重で且つ視認可能な非溶解物を散在させ、
その非溶解物は、透明インク用液体を着色剤にて着色して形成する有色インクと同色したことを特徴とする筆記具。
【請求項４】
筒状の軸部材と、　その軸部材の一端へ固定され、先端から有色インクを滲出させるペン先部材と、　そのペン先部材の先端から滲み出る有色インクの一部を構成する透明インク用液体を収納するとともに前記軸部材へ内装される筒状のインク用カートリッジと、　前記透明インク用液体を有色インクへ着色する着色剤と、　インク用カートリッジ内の透明インク用液体への着色剤の混入を規制するための規制部材とを備え、　前記インク用カートリッジの筒側面部分の少なくとも一部および前記軸部材においてインク用カートリッジを内装した部分の少なくとも一部を透明とするとともに、それら透明部分は重なるように位置させ、
インク用カートリッジ内には、透明インク用液体と同等比重で且つ視認可能な非溶解物を散在させたことを特徴とする筆記具。
【請求項５】
筒状の軸部材と、
その軸部材の一端へ固定され、先端から有色インクを滲出させるペン先部材と、
そのペン先部材の先端から滲み出る有色インクの一部を構成する透明インク用液体を収納するとともに前記軸部材へ内装されるインク用カートリッジと、
前記透明インク用液体を有色インクへ着色する着色剤と、
インク用カートリッジ内の透明インク用液体への着色剤の混入を規制するための規制部材とを備え、
前記インク用カートリッジの筒側面部分の少なくとも一部および前記軸部材においてインク用カートリッジを内装した部分の少なくとも一部を透明とするとともに、それら透明部分は重なるように位置させ、
インク用カートリッジ内には、透明インク用液体を着色剤にて着色して形成する有色インクと同色の視認可能な非溶解物を散在させたことを特徴とする筆記具。
【請求項６】
筒状の軸部材と、
その軸部材の一端へ固定され、先端から有色インクを滲出させるペン先部材と、
そのペン先部材の先端から滲み出る有色インクの一部を構成する透明インク用液体を収納するとともに前記軸部材へ内装されるインク用カートリッジと、
前記透明インク用液体を有色インクへ着色する着色剤と、
インク用カートリッジ内の透明インク用液体への着色剤の混入を規制するための規制部材とを備え、
前記インク用カートリッジの筒側面部分の少なくとも一部および前記軸部材においてインク用カートリッジを内装した部分の少なくとも一部を透明とするとともに、それら透明部分は重なるように位置させ、
インク用カートリッジ内には、透明インク用液体と同等比重で且つ視認可能な非溶解物を散在させ、
その非溶解物は、透明インク用液体を着色剤にて着色して形成する有色インクと同色したことを特徴とする筆記具。
【請求項７】
筒状の軸部材と、その軸部材の一端へ固定され、先端から有色インクを滲出させるペン先部材と、そのペン先部材の先端から滲み出る有色インクの一部を構成する透明インク用液体を収納する透明インク用液体用カートリッジと、前記透明インク用液体を有色インクへ着色する着色剤とを備えた筆記具に用いる透明インク用液体用カートリッジであって、
該カートリッジの筒側面部分の少なくとも一部を透明とするとともに、カートリッジ内には、透明インク用液体と同等比重で且つ視認可能な非溶解物を散在させたことを特徴とする透明インク用液体用カートリッジ。
【請求項８】
筒状の軸部材と、その軸部材の一端へ固定され、先端から有色インクを滲出させるペン先部材と、そのペン先部材の先端から滲み出る有色インクの一部を構成する透明インク用液体を収納する透明インク用液体用カートリッジと、前記透明インク用液体を有色インクへ着色する着色剤とを備えた筆記具に用いる透明インク用液体用カートリッジであって、
該カートリッジの筒側面部分の少なくとも一部を透明とするとともに、カートリッジ内には、透明インク用液体を着色剤にて着色して形成する有色インクと同色の視認可能な非溶解物を散在させたことを特徴とする透明インク用液体用カートリッジ。
【請求項９】
筒状の軸部材と、その軸部材の一端へ固定され、先端から有色インクを滲出させるペン先部材と、そのペン先部材の先端から滲み出る有色インクの一部を構成する透明インク用液体を収納する透明インク用液体用カートリッジと、前記透明インク用液体を有色インクへ着色する着色剤とを備えた筆記具に用いる透明インク用液体用カートリッジであって、
該カートリッジの筒側面部分の少なくとも一部を透明とするとともに、カートリッジ内には、透明インク用液体と同等比重で且つ視認可能な非溶解物を散在させ、
その非溶解物は、透明インク用液体を着色剤にて着色して形成する有色インクと同色したことを特徴とする透明インク用液体用カートリッジ。
【発明の詳細な説明】
【０００１】
【発明が属する技術分野】
本発明は、先端から有色インクを滲出させる筆記具において、有色インクを形成するインク用液体と着色剤とを別々に収納し、その透明なインク用液体およびそれを収納するカートリッジを用いて、新たな視認性を持たせた筆記具およびその筆記具に用いるカートリッジに関する。
【０００２】
【先行技術】
ユーザが筆記具を選択する基準のひとつに「インクの色彩」がある。そのため、インクの色彩をユーザへ告知する手段としては、筆記具を構成する部品の一部をインクと同一色彩とする、インク収納体および筆記具の軸部の一部または全部を透明としてインク収納体の中のインクを視認可能とする、インクと同一色彩のシールを筆記具の軸部や包装に貼付する、といった方法が従来から採用されている。
一方、ユーザが筆記具を選択する他の基準として、筆記具のデザインがある。更に、筆記具そのものが広告宣伝媒体として採用されることが多い。すなわち、社名や新商品のロゴなどを筆記具の軸部へ印刷または刻印し、それを配布するという広告宣伝手法は、従来から広く採用されている。
【０００３】
【発明が解決しようとする課題】さて、有色インクを形成するインク用液体と着色剤とを別々に収納し、その透明なインク用液体を視認可能であるような筆記具という新たなデザインが案出された場合、以下のような問題がある。
まず、ユーザに対してインクの色彩を告知させるための手法としての「インク収納体および筆記具の軸部の一部または全部を透明としてインク収納体の中のインクを視認可能とする」という手法は採用できなくなる。
一方、「透明なインク用液体が視認可能である」ということを特徴として生かすとすれば、斬新な広告宣伝媒体となりうる。
ところで、近年の環境問題に対応するため、筆記具においても消耗部品とそうでない部品とを明確にしつつ、消耗部品のみを別途購入可能であるようにするという方法が、以前よりも徹底されてきた。
【０００４】本発明が解決すべき課題は、新たなデザインを採用した筆記具における新たな広告宣伝機能を達成する技術を提供することにある。
請求項１から請求項６記載の発明の目的は、新たな広告宣伝機能を達成する新たなデザインを採用した筆記具を提供することである。
また、請求項７から請求項９記載の発明の目的は、新たな広告宣伝機能を達成する新たなデザインを採用した筆記具におけるインクカートリッジを提供することである。
【０００５】
【課題を解決するための手段】本発明は、上記した目的を達成するためのものである。請求項１から請求項３記載の発明は、いわゆるペン軸に透明インク用液体を収納した筆記具に係り、請求項４から請求項６記載の発明は、いわゆるペン軸にインクカートリッジが内装されている筆記具に係り、請求項７から請求項９記載の発明は、請求項４から請求項６記載の筆記具に用いられるインクカートリッジに係る。
【０００６】（請求項１）
本発明のうち請求項１に記載した発明は、筒状の軸部材（８０）と、その軸部材（８０）の一端へ固定され、先端から有色インクを滲出させるペン先部材（１０）と、そのペン先部材（１０）の先端から滲み出る有色インクの一部を構成する前記軸部材に収納された透明インク用液体（３１）と、前記透明インク用液体（３１）を有色インクへ着色する着色剤（２０）と、前記軸部材（８０）内の透明インク用液体（３１）への着色剤（２０）の混入を規制するための規制部材（４０）とを備える。そして、前記軸部材（８０）の筒側面部分のうち透明インク用液体（３１）が収納された部分の少なくとも一部を透明とするとともに、透明インク用液体（３１）には、透明インク用液体（３１）と同等比重で且つ視認可能な非溶解物（３２）を散在させたことを特徴とする筆記具に係る。
【０００７】
（用語説明）
「透明インク用液体（３１）」とは、従来のインクのビヒクルに相当するものであり、従来のインクから染料又は顔料を除いた部分を主体とするものをいう。また、「着色剤（２０）」とは、従来のインクの染料又は顔料に相当するものであり、従来のインクからビヒクルを除いた部分を主体とするものをいう。即ち、「透明インク用液体（３１）」に「着色剤（２０）」が添加されることにより、従来のインクとほぼ同様の有色インクが調整されることとなるのである。ここで「透明」とは、視認不能な空気のような透明さを要求する趣旨ではない。
「透明インク用液体（３１）」については、例えば、従来のインクのビヒクルをそのまま用いることができる。これにより、透明又は半透明の透明インク用液体（３１）を調整することができる。また、例えば、従来のインクのビヒクルに所定の成分を加えることによって、あるいは従来のインクのビヒクルから所定の成分を取り除くことによって、透明又は半透明の透明インク用液体（３１）を調整することもできる。また、例えば、従来のインクのビヒクルに、極めて少量の染料又は顔料を溶解又は分散させることによって、有色透明又は有色半透明の透明インク用液体（３１）を調整することもできる。これにより、例えば、着色剤（２０）と同系であって極めて薄い色彩の透明インク用液体（３１）を調整することができる。また、例えば、着色剤（２０）とは異なる色彩であって極めて薄い色彩の透明インク用液体（３１）を調整することもできる。なお、透明インク用液体（３１）をどのように調整するかは、見た感じをどのようにしたいかということなどに依存するものである。
また、透明インク用液体（３１）としてのビヒクルは、例えば、水、水溶性有機溶剤、潤滑剤、防腐剤、防錆剤、ｐＨ調整剤、乾燥防止剤、増粘剤、またはエマルジョンなどを適宜配合することによって調整することができる。
なお、透明インク用液体（３１）の比重は、通常、１．０１〜１．１５程度である。
【０００８】
「着色剤（２０）」については、例えば、従来のインクの染料又は顔料をそのまま用いることができる。これにより、固形状又は高濃度の液状の着色剤（２０）を調整することができる。また、例えば、従来のインクのビヒクルに、極めて多量の染料又は顔料を溶解又は分散させることによって、高濃度の液状の着色剤（２０）を調整することもできる。また、例えば、インクのビヒクル中の所定成分に、極めて多量の染料又は顔料を溶解又は分散させることによって、高濃度の液状の着色剤（２０）を調整することもできる。なお、着色剤（２０）をどのように調整するかは、着色剤（２０）の透明インク用液体（３１）への添加形態などに依存するものである。
また、着色剤（２０）としての染料には、例えば、直接染料、酸性染料、塩基性染料、蛍光染料、又は食用染料などを用いることができる。
また、着色剤（２０）としての顔料には、例えば、無機系顔料、有機系顔料、無機系蛍光顔料、又は有機系蛍光顔料などを用いることができる。
なお、水、水溶性有機溶剤、潤滑剤、防腐剤、防錆剤、ｐＨ調整剤、乾燥防止剤、増粘剤、エマルジョン、直接染料、酸性染料、塩基性染料、蛍光染料、食用染料、無機系顔料、有機系顔料、無機系蛍光顔料、及び有機系蛍光顔料については、発明の実施の形態にて詳述する。
【０００９】
「ペン先部材（１０）」とは、例えば、筆記具が万年筆である場合には、ペン先をいい、また、筆記具がボールペンである場合には、ボールペンチップ（１１）をいい、また、筆記具がフェルトペンである場合には、フェルトからなる筆記用尖端をいい、また、筆記具がサインペン（マーカーペン）である場合には、繊維束体からなる筆記用尖端をいい、また、筆記具がニードルペンである場合には、細い管状の筆記用尖端をいう。なお、筆記具は、これらに限定されるものではないので、ペン先部材（１０）も、これらに限定されるものではない。
【００１０】
「規制部材（４０）」とは、透明インク用液体（３１）と着色剤（２０）との間に設けられ、透明インク用液体（３１）が着色剤（２０）方向へ向けて移動することは妨げないものの、着色剤（２０）の透明インク用液体（３１）方向への移動を規制するためのものをいう。例えば、活性炭などの吸着剤、弁、あるいは広義のフィルターなどである。
また、「規制」とは、着色剤（２０）が透明インク用液体（３１）中に混入しないようにすること、あるいは着色剤（２０）が透明インク用液体（３１）中に混入しにくくすることのいずれをも含む概念である。従って、規制部材（４０）は、着色剤（２０）が透明インク用液体（３１）中に混入することを１００％防止することができるものであれば好ましいが、このようなものに限定されるものではない。
フィルターとしては、例えば、半透膜、中空糸膜、メンブランフィルター、液体クロマトグラフィー用カラム（イオン交換樹脂）、又は透湿性防水素材（例えば、米国のＷ．Ｌ．ゴア・アンド・アソシエーツ社によって開発されたゴアテックス（商品名））などを用いることができる。
【００１１】
軸部材（８０）は、その筒内部に着色剤（２０）、透明インク用液体（３１）および規制部材（４０）を内装する。
なお、透明インク用液体（３１）が収納された部分は、全周に渡って透明であることが一般的であるが、一部であっても本請求項に含むことを趣旨としている。
【００１２】
「非溶解物（３２）」とは、透明インク用液体（３１）に溶けない固形物、例えば熱可塑性樹脂製の微少薄板である。金属製の薄膜、金属製の小物、金属粉、又はガラス製の小物などによっても形成できる。それらは、例えば商品名、企業名、あるいはキャラクターなどを付したり、それらの形状をあしらったりしたものでもよい。
また、「非溶解物（３２）」につき「透明インク用液体（３１）と同等比重」とは、非溶解物（３２）が透明インク用液体（３１）内で浮遊することを趣旨としており、比重差が１５％以内であること、好ましくは１０％以内、より好ましくは５％以内であることをいう。
比重差が１５％より大きいと、被溶解物（３２）の浮上または沈降が速すぎて趣が小さい。一方、比重差が５％より小さいと、被溶解物（３２）の浮上または沈降が極めて遅く、斬新な趣を演出できる。
【００１３】
（作用）
軸部材（８０）の筒側面部分のうち透明インク用液体（３１）が収納された部分の少なくとも一部は、透明である。また、着色剤（２０）および規制部材（４０）とが備えられている。また、軸部材（８０）の一端へは、先端から有色インクを滲出させるペン先部材（１０）が固定されている。
一方、透明インク用液体（３１）は、着色剤（２０）によって有色インクへ着色され、その有色インクはペン先部材（１０）から滲出することによって、筆記されることとなる。一方、透明インク用液体（３１）への着色剤（２０）の混入は、規制部材（４０）によって規制されている。
したがって、本発明に係る筆記具のユーザは、透明インク用液体（３１）が収納された部分に透明な箇所があり、透明インク用液体（３１）内の非溶解物（３２）を視認することができる。その非溶解物（３２）は、透明インク用液体（３１）と同等比重なので、透明インク用液体（３１）内で筆記時などにこれらが透明インク用液体（３１）中で揺れ動くとともに、浮遊している。したがって、新たなデザインを採用した筆記具における新たな広告宣伝機能が発揮される筆記具となる。
【００１４】
（請求項２）
請求項２記載の発明は、筒状の軸部材（８０）と、その軸部材（８０）の一端へ固定され、先端から有色インクを滲出させるペン先部材（１０）と、そのペン先部材（１０）の先端から滲み出る有色インクの一部を構成する前記軸部材に収納された透明インク用液体（３１）と、前記透明インク用液体（３１）を有色インクへ着色する着色剤（２０）と、前記軸部材（８０）内の透明インク用液体（３１）への着色剤（２０）の混入を規制するための規制部材（４０）とを備える。そして、前記透明インク用液体用カートリッジの筒側面部分の少なくとも一部を透明とするとともに、透明インク用液体（３１）には、透明インク用液体（３１）を着色剤（２０）にて着色して形成する有色インクと同色の視認可能な非溶解物（３２）を散在させたことを特徴とする筆記具に係る。
【００１５】
（用語説明）
「非溶解物（３２）」につき、「有色インクと同色」とは、視認してほぼ同色であればよいという趣旨であり、同じ色であることの厳密さを要求する趣旨ではない。
【００１６】
（作用）
透明インク用液体（３１）には、透明インク用液体（３１）を着色剤（２０）にて着色して形成する有色インクと同色の視認可能な非溶解物（３２）が散在しているので、ユーザはその非溶解物（３２）の色によってその筆記具のインク色を認識することができる。筆記具のインク色の認識方法として新しく、筆記具全体としても新たなデザインとなる。
また、筆記具のインク色の認識方法としてこの方法を採用することによって「筆記具を構成する部品の一部をインクと同一色彩とする」という方法が不要になった場合には、当該部品をインク色ごとに別々の部品として製造する必要がなくなる。
【００１７】
（請求項３）
請求項３記載の発明は、請求項１および請求項２記載の発明の機能を併せ持つ筆記具に係る。すなわち、軸部材の筒側面のうち透明インク用液体が収納された部分の少なくとも一部を透明とするとともに、透明インク用液体（３１）内には、透明インク用液体（３１）と同等比重で且つ視認可能な非溶解物（３２）を散在させ、その非溶解物（３２）は、透明インク用液体（３１）を着色剤（２０）にて着色して形成する有色インクと同色したことを特徴とする。
【００１８】
（作用）
透明インク用液体（３１）内に散在している非溶解物（３２）が、透明インク用液体（３１）と同等比重で且つ有色インクと同色であるので、透明インク用液体（３１）内で筆記時などにこれらが透明インク用液体（３１）中で揺れ動くとともに、浮遊している。また、ユーザはその非溶解物（３２）の色によってその筆記具のインク色を認識することができる。このため、ユーザはその非溶解物（３２）の色によってその筆記具のインク色を認識することができるとともに、新たなデザインを採用した筆記具における新たな広告宣伝機能が発揮される。
【００１９】
（請求項４）
請求項４記載の発明は、筒状の軸部材（８０）と、その軸部材（８０）の一端へ固定され、先端から有色インクを滲出させるペン先部材（１０）と、そのペン先部材（１０）の先端から滲み出る有色インクの一部を構成する透明インク用液体（３１）を収納するとともに前記軸部材へ内装される筒状のインク用カートリッジ（３０）と、前記透明インク用液体（３１）を有色インクへ着色する着色剤（２０）と、インク用カートリッジ（３０）内の透明インク用液体（３１）への着色剤（２０）の混入を規制するための規制部材（４０）とを備える。そして前記インク用カートリッジ（３０）の筒側面部分の少なくとも一部および前記軸部材においてインク用カートリッジを内装した部分の少なくとも一部を透明とするとともに、それら透明部分は重なるように位置させて形成する。更に、インク用カートリッジ（３０）内には、透明インク用液体（３１）と同等比重で且つ視認可能な非溶解物（３２）を散在させたことを特徴とする筆記具に係る。
【００２０】
（用語説明）
インク用カートリッジ（３０）は、軸部材（８０）に内装され、軸部材（８０）におけるインク用カートリッジ（３０）の収納部分の少なくとも一部を透明とする。インク用カートリッジ（３０）の透明インク用液体（３１）へ散財された非融解物（３２）を視認可能とするためである。
なお、インク用カートリッジ（３０）における透明とする筒側面部分は、全周に渡って透明であることが一般的であるが、一部であっても本請求項に含むことを趣旨としている。
【００２１】
（作用）
インク用カートリッジ（３０）の筒側面部分の少なくとも一部および前記軸部材においてインク用カートリッジ（３０）を内装した部分の少なくとも一部を透明とし、且つインク用カートリッジ（３０）はそれら透明部分は重なるように軸部材へ内装させて位置させる。そのため、本発明に係る筆記具のユーザは、透明インク用液体用カートリッジ内の非溶解物（３２）を視認することができる。その非溶解物（３２）は、透明インク用液体（３１）と同等比重なので、透明インク用液体（３１）内で筆記時などにこれらが透明インク用液体（３１）中で揺れ動くとともに、浮遊している。したがって、新たなデザインを採用した筆記具における新たな広告宣伝機能が発揮される筆記具となる。
【００２２】
（請求項５）
請求項５記載の発明は、請求項４に記載したインク用カートリッジ（３０）内における非溶解物（３２）を異ならせたことを特徴とする。
すなわち、インク用カートリッジ内（３０）には、透明インク用液体（３１）を着色剤（２０）にて着色して形成する有色インクと同色の視認可能な非溶解物（３２）を散在させたことを特徴とする筆記具に係る。
【００２３】
（作用）
インク用カートリッジ内（３０）内には、透明インク用液体（３１）を着色剤（２０）にて着色して形成する有色インクと同色の視認可能な非溶解物（３２）が散在しているので、ユーザはその非溶解物（３２）の色によってその筆記具のインク色を認識することができる。筆記具のインク色の認識方法として新しく、筆記具全体としても新たなデザインとなる。
また、筆記具のインク色の認識方法としてこの方法を採用することによって「筆記具を構成する部品の一部をインクと同一色彩とする」という方法が不要になった場合には、当該部品をインク色ごとに別々の部品として製造する必要がなくなる。
【００２４】
（請求項６）
請求項６記載の発明は、請求項４または請求項５に記載したインク用カートリッジ（３０）内における非溶解物（３２）を異ならせたことを特徴とする。
すなわち、透明インク用液体（３１）と同等比重で且つ視認可能な非溶解物（３２）を散在させ、その非溶解物（３２）は、透明インク用液体（３１）を着色剤（２０）にて着色して形成する有色インクと同色したことを特徴とする。
【００２５】
（作用）
インク用カートリッジ（３０）内に散在している非溶解物（３２）が、透明インク用液体（３１）と同等比重で且つ有色インクと同色であるので、透明インク用液体（３１）内で筆記時などにこれらが透明インク用液体（３１）中で揺れ動くとともに、浮遊している。また、ユーザはその非溶解物（３２）の色によってその筆記具のインク色を認識することができる。このため、ユーザはその非溶解物（３２）の色によってその筆記具のインク色を認識することができるとともに、新たなデザインを採用した筆記具における新たな広告宣伝機能が発揮される。
【００２６】（請求項７）　請求項７記載の発明は、請求項４記載の筆記具に用いるインク用カートリッジ（３０）に係る。
すなわち、筒状の軸部材（８０）と、その軸部材（８０）の一端へ固定され、先端から有色インクを滲出させるペン先部材（１０）と、そのペン先部材（１０）の先端から滲み出る有色インクの一部を構成する透明インク用液体（３１）を収納する透明インク用液体用カートリッジ（３０）と、前記透明インク用液体（３１）を有色インクへ着色する着色剤（２０）とを備えた筆記具に用いる透明インク用液体用カートリッジ（３０）である。そして、筒側面部分の少なくとも一部を透明とするとともに、透明インク用液体用カートリッジ（３０）内には、透明インク用液体（３１）と同等比重で且つ視認可能な非溶解物（３２）を散在させたことを特徴とする。
【００２７】
（請求項８）
請求項８記載の発明は、請求項５記載の筆記具に用いる透明インク用液体用カートリッジ（３０）に係る。
すなわち、筒側面部分の少なくとも一部を透明とするとともに、透明インク用液体用カートリッジ（３０）内には、透明インク用液体（３１）を着色剤（２０）にて着色して形成する有色インクと同色の視認可能な非溶解物（３２）を散在させたことを特徴とする。
【００２８】
（請求項９）
請求項９記載の発明は、請求項６記載の筆記具に用いる透明インク用液体用カートリッジ（３０）に係る。
すなわち、筒側面部分の少なくとも一部を透明とするとともに、透明インク用液体用カートリッジ（３０）内には、透明インク用液体（３１）と同等比重で且つ視認可能な非溶解物（３２）を散在させ、その非溶解物（３２）は、透明インク用液体（３１）を着色剤（２０）にて着色して形成する有色インクと同色したことを特徴とする。
【００２９】
（請求項７から請求項９の作用）
透明インク用液体用カートリッジ（３０）は、筆記具とは別に単独で供給できる。そのため、ユーザは、筆記具における消耗部品である透明インク用液体用カートリッジ（３０）をのみを別途購入可能である。その透明インク用液体用カートリッジ（３０）は、非溶解物（３２）が収納された極めて斬新なカートリッジであり、広告宣伝機能にも優れている。
【００３０】
【発明の実施の形態】
以下、本発明を実施の形態及び図面に基づいて、更に詳しく説明する。ここで使用する図面は、図１であり、本実施の形態に係る筆記具の要部側面断面図である。
【００３１】
図１に示すように、本実施の形態に係る筆記具は、円筒状の軸部材８０と、その軸部材８０の一端へ固定され、先端から有色インクを滲出させるペン先部材１０と、軸部材８０におけるペン先部材１０と反対側に内装されるインク用カートリッジ３０を備えている。
インク用カートリッジ３０は、ペン先部材１０の先端から滲み出る有色インクの一部を構成する透明インク用液体３１を収納する筒状の部材である。透明インク用液体３１を有色インクへ着色する着色剤２０が必要であり、それはペン先部材１０とインク用カートリッジ３０との間に位置させている。更に、着色剤２０とインク用カートリッジ３０との間には、インク用カートリッジ３０内の透明インク用液体３１への着色剤２０の混入を規制するための規制部材４０が配置されている。この規制部材４０とは、着色剤２０におけるインク用カートリッジ３０側に位置させた活性炭４１と、その活性炭４１におけるインク用カートリッジ３０側に位置させた繊維芯４２である。インク用カートリッジ３０内の圧力変化を調整するため、コレクター５０が圧入されており、ペン先部材１０から繊維芯４２までの部材は、そのコレクター５０の内方に位置させている。
【００３２】
軸部材８０におけるインク用カートリッジ３０の収納部分の周面は、透明としており、更にインク用カートリッジ３０も透明を採用している。そして、インク用カートリッジ３０内には、透明インク用液体３１と同等比重で且つ視認可能な非溶解物３２を散在させている。この非溶解物３２は、透明インク用液体３１を着色剤２０にて着色して形成する有色インクと同色としている。
【００３３】
（軸部材８０）
前記の軸部材８０は、例えば、ポリプロピレン（ＰＰ）などの合成樹脂を材料として、インク用カートリッジ３０の収納部分の周面のみに限られず全体が透明に形成されている。そのため、軸部材８０の外部からその内部を視認できるようにしてある。
なお、軸部材８０は、円筒状に形成される場合に限られず、例えば、その外周を多角形状に形成してもよい。また、軸部材８０は、全体が透明に形成される場合に限られず、例えば、その一部に透明な窓を設けることにより、その内部を視認できるようにしてもよい。また、軸部材８０の表面に、文字や図形や模様などを付してもよい。
【００３４】
（軸部材８０の材質）
軸部材８０は、ポリプロピレン（ＰＰ）を材料として形成される場合に限られず、例えば、ポリ塩化ビニル（ＰＶＣ）、ポリビニルブチラール（ＰＶＢ）、ポリビニルアルコール（ＰＶＡ）、ポリ塩化ビニリデン（ＰＶｄＣ）、ポリ酢酸ビニル（ＰＶＡｃ）、ポリビニルホルマール（ＰＶＦ）、ポリ２塩化ビニルなどのビニル系、ポリスチレン（ＰＳ）、スチレン・アクリロニトリル共重合体（ＡＳ）、ＡＢＳなどのポリスチレン系、エチレン・酢酸ビニル共重合体（ＥＶＡ）などのポリエチレン系、ポリメチルメタクリレート（ＰＭＭＡ）、変性アクリルなどのアクリル系、３ふっ化塩化エチレン（ＰＣＴＦＥ）、４ふっ化エチレン（ＰＴＦＥ）、４ふっ化エチレン・６ふっ化プロピレン（ＦＥＰ）、ふっ化ビニリデン（ＰＶｄＦ）などのふっ素樹脂、ポリアセタール（ＰＡ）、ポリカーボネート（ＰＣ）、フェノキシ、ポリエステル（ＰＥＴＰ）、ポリウレタン（ＰＵ）、フェノール・ホルムアルデヒド樹脂（ＰＦ）、尿素樹脂（ＵＦ）、メラニン・ホルムアルデヒド樹脂（ＭＦ）、エポキシ樹脂（ＥＰ）、フラン樹脂（ＦＦ）、キシレン樹脂（ＸＦ）、シリコーン樹脂、ナイロンなどを材料として形成してもよい。
【００３５】
（コレクター５０）
前記コレクター５０は、インク用カートリッジ３０内の圧力変化を調整するためのものである。
また、このコレクター５０は、例えば、ポリプロピレン（ＰＰ）などの合成樹脂を材料として、全体が透明に形成されている。
また、図１に示すように、このコレクター５０の外周には、インク用カートリッジ３０側の端部からペン先部材１０側へ向けて形成されている液体誘導溝５１と、ペン先部材１０側の端部からインク用カートリッジ３０側へ向けて形成されている空気溝５２と、液体誘導溝５１及び空気溝５２の双方と交わるように形成されている多数の液体保留溝５３とが設けられ、これらにより、インク用カートリッジ３０内の圧力変化を調整するようにしている。
なお、コレクター５０は、透明に形成される場合に限られず、例えば、有色透明、半透明、あるいは不透明に形成してもよい。即ち、コレクター５０は、その内部が視認できるものであってもよく、また、その内部が視認できないものであってもよいのである。
また、液体誘導孔５４は、円孔状に形成される場合に限られず、例えば、その内周面を多角形状に形成してもよい。また、例えば、液体誘導孔の内周面に、そのインク用カートリッジ３０側の端部からペン先部材１０側の端部まで連続する多数の溝を設けてもよい。
【００３６】
（液体誘導芯）
コレクター５０の中心には、そのインク用カートリッジ３０側の端部からペン先部材１０側の端部まで貫通する円孔状の液体誘導孔５４が設けられていると共に、この液体誘導孔５４には液体誘導芯２１が挿入されている。これにより、透明インク用液体３１をインク用カートリッジ３０からペン先部材１０へ誘導するようにしている。また、液体誘導芯２１に着色剤２０を含浸させることにより、透明インク用液体３１がペン先部材１０へ誘導される途中で、着色剤２０が透明インク用液体３１に添加されるようにしているのである。
【００３７】
液体誘導芯２１は、繊維束体によって、円柱棒状に形成されている。この液体誘導芯２１は、コレクター５０の液体誘導孔に挿入され、その一方側の端部をインク用カートリッジ３０近辺に位置させ、他方側をペン先部材１０としてのボールペンチップ７１の内部に位置させている。
液体誘導芯２１としての繊維束体には、気孔率が４０％以上のものを用いることが好ましい。従来の筆記具では、インク誘導芯としての繊維束体に、気孔率が３０％以上のものを用いていたが、本実施の形態では、液体誘導芯２１としての繊維束体の一部に、着色剤２０を含浸させることとしているためである。
なお、液体誘導芯２１は、繊維束体によって形成される場合に限られず、例えば、多孔質体によって形成してもよい。また、液体誘導芯２１は、ポリアセタールなどの合成樹脂によって形成してもよい。ただ、この場合、液体誘導芯２１の外周面に、そのインク用カートリッジ３０側の端部からペン先部材１０側の端部まで連続する多数の毛細管溝やスリットや凹状部を設けたり、あるいは液体誘導芯２１の内部に、そのインク用カートリッジ３０側の端部からペン先部材１０側の端部まで貫通する多数の毛細管溝や毛細管孔や凹状部を設けたりすることが好ましい。
【００３８】
（ペン先部材１０）
図１に示すペン先部材１０は、ボールペンチップによって形成されている。このペン先部材１０としてのボールペンチップは、その一方側にボールを回転自在に保持し、また、他方側をコレクター５０に固定されている。また、このペン先部材１０としてのボールペンチップの内部には、液体誘導芯２１の一方側の端部が挿入され、これにより、透明インク用液体３１がインク用カートリッジ３０からボールへ誘導されるようになっている。
なお、ペン先部材１０は、ボールペンチップによって形成される場合に限られず、例えば、万年筆のペン先によって形成してもよく、また、フェルトからなる筆記用尖端によって形成してもよく、また、繊維束体からなる筆記用尖端によって形成してもよく、また、ニードルペンに用いられる細い管状の筆記用尖端によって形成してもよい。
【００３９】
（透明インク用液体３１）
前記透明インク用液体３１は、従来のインクのビヒクルに相当するものであり、従来のインクから染料又は顔料を除いた部分を主体とするものである。例えば、従来のインクのビヒクルをそのまま用いることによって、透明又は半透明の透明インク用液体３１を調整することができる。
また、例えば、従来のインクのビヒクルに所定の成分を加えることによって、あるいは従来のインクのビヒクルから所定の成分を取り除くことによって、透明又は半透明の透明インク用液体３１を調整することもできる。
また、例えば、従来のインクのビヒクルに、極めて少量の染料又は顔料を溶解又は分散させることによって、有色透明又は有色半透明の透明インク用液体３１を調整することもできる。これにより、例えば、着色剤２０と同系であって極めて薄い色彩の透明インク用液体３１を調整することができる。また、例えば、着色剤２０とは異なる色彩であって極めて薄い色彩の透明インク用液体３１を調整することもできる。
具体的には、この透明インク用液体３１は、例えば、水、水溶性有機溶剤、潤滑剤、防腐剤、防錆剤、ｐＨ調整剤、乾燥防止剤、増粘剤、又はエマルジョンなどを適宜配合することによって調整することができる。更に、これらに、後に詳述する染料又は顔料のごく少量を溶解又は分散させてもよい。そして、この透明インク用液体３１は、軸部材８０の内部の一方側に設けたインク用カートリッジ３０に充填されている。
なお、透明インク用液体３１をどのように調整するかは、見た感じをどのようにしたいかということなどに依存するものである。
【００４０】
以下、更に、透明インク用液体３１の調整に用いられる水、水溶性有機溶剤、潤滑剤、防腐剤、防錆剤、ｐＨ調整剤、乾燥防止剤、増粘剤、及びエマルジョンについて詳述する。
【００４１】
（水）
水としては、例えば、精製水、蒸留水、又はイオン交換水などを用いることができる。
【００４２】
（水溶性有機溶剤）
水溶性有機溶剤としては、例えば、（１）イソプロピルアルコール、ブチルアルコールなどのアルコール類、（２）アセトン、メチルエチルケトンなどのケトン類、（３）テトラヒドロフラン、ジオキサンなどのエーテル類、（４）エチルアセテート、プロピレンカルボネートなどのエステル類、（５）エチレングリコール、プロピレングリコール、ブチレングリコール、ジエチレングリコール、トリエチレングリコール、ポリエチレングリコール、ポリプロピレングリコール、１，５‐ペンタンジオール、１，２，６‐へキサントリオール、チオジグリコール、グリセロールなどの多価アルコール類、（６）エチレングリコールモノメチルエーテル、エチレングリコールジメチルエーテル、エチレングリコールモノエチルエーテル、エチレングリコールジエチルエーテル、エチレングリコールモノ‐ｎ‐プロピルエーテル、エチレングリコールモノイソプロピルエーテルなどの多価アルコール類の低級アルキルエーテル、（７）尿素、ピロリドン、Ｎ‐メチル‐２‐ピロリドンなどの窒素含有化合物、（８）ジメチルスルホキシド、テトラメチレンスルホキシドなどのイオウ含有化合物、（９）ポリグリセリンエチレンオキサイド付加物などのグリセリン誘導体などを用いることができる。
なお、これらは、それぞれ単独で用いてもよく、また、２種類以上を組み合わせて用いてもよい。
また、使用される溶剤の総量は特に限定されないが、好ましくは、補助溶剤は０．５〜５０重量％の範囲で存在する。
【００４３】
（潤滑剤）
潤滑剤としては、例えば、ポリオキシエチレンアルキルエーテルのリン酸エステル、ポリオキシエチレンアルキルアリルエーテルのリン酸エステル、リノール酸カリウム、リシノール酸ナトリウム、オレイン酸カリウム、オレイン酸ナトリウム、グリセリン脂肪酸エステル、ポリグリセリン脂肪酸エステル、プロピレングリコール脂肪酸エステル、ペンタエリスリトール脂肪酸エステル、ポリオキシエチレンソルビタン脂肪酸エステル、ペンタエリスリトール脂肪酸エステル、ポリオキシエチレンソルビタン脂肪酸エステル、ポリオキシエチレンゾルビット脂肪酸エステル、ポリオキシエチレングリセリン脂肪酸エステル、ポリエチレングリコール脂肪酸エステル、ポリオキシエチレンアルキレルエーテル、ポリオキシエチレンフィトステロール、ポリオキシエチレンポリオキシプロピレンアルキルエーテル、ポリオキシエチレンアルキルフェニルエーテル、ポリオキシエチレンヒマシ油、ポリオキシエチレンラノリン、ポリオキシエチレンラノリンアルコール、ポリオキシエチレンアルキルアミン、ポリオキシエチレン脂肪酸アミド、ポリオキシエチレンアルキルフェニルホルムアルデヒド縮合物などを用いることができる。
なお、これらは、それぞれ単独で用いてもよく、また、２種類以上を組み合わせて用いてもよい。
【００４４】
（防腐剤）
防腐剤としては、例えば、例えば、デヒドロ酢酸ナトリウム、１，２ベンゾチアザリン−３−オン、安息香酸ナトリウム、２−ピリジンチオール−１−オキシドナトリウム塩、フェノールなどを用いることができる。
なお、これらは、それぞれ単独で用いてもよく、また、２種類以上を組み合わせて用いてもよい。
【００４５】
（防錆剤）
防錆剤としては、例えば、トリルトリアゾール、ベンゾトリアゾール及びその誘導体、リン酸オクチル、チオリン酸ジオクチルなどの脂肪酸リン誘導体、イミダゾール、ベンゾイミダゾール及びその誘導体、ベンゾイミダゾール、２‐メルカプトベンゾチアゾール、オクチルオキシメタンホスホン酸、ジシクロヘキシルアンモニウム・ナイトライト、ジイソプロピルアンモニウム・ナイトライト、プロパルギルアルコール、ジアルキルチオ尿素などを用いることができる。
なお、これらは、それぞれ単独で用いてもよく、また、２種類以上を組み合わせて用いてもよい。
【００４６】
（ｐＨ調整剤）
ｐＨ調整剤としては、例えば、水酸化ナトリウム、水酸化カリウム、リン酸カリウム、水酸化カルシウム、炭酸ナトリウム、炭酸水素ナトリウム、アンモニア、メチルアミン、ジメチルアミン、トリメチルアミン、エチルアミン、ジエチルアミン、トリエチルアミン、プロピルアミン、ジプロピル、トリプロピルアミン、ブチルアミン、ジブチルアミン、トリブチルアミン、イソブチルアミン、ジイソブチルアミン、２‐ブタンアミン、Ｎ‐（１‐メチルプロピル）‐１‐プロパンアミン、Ｎ，Ｎ‐ジメチルブチルアミン、１，２‐ジメチルプロピルアミン、Ｎ‐エチル１，２‐ジメチルプロピルアミン、アリルアミン、ジアリルアミン、トリアリルアミン、Ｎ，Ｎ‐ジメチルアリルアミン、Ｎ‐メチルジアリルアミン、３‐ペンチルアミン、Ｎ，Ｎ‐ジイソプロピルエチルアミン、２‐（ヒドロキシメチルアミノ）エタノール、２‐アミノプロパノール、３‐アミノプロパノール、トリエタノールアミン、モノエタノールアミン、ジエタノールアミン、２‐アミノ２‐メチル‐１プロパノール、Ｎ‐イソブチルジエタノールアミン、３‐メトキシプロピルアミン、３‐プロピルオキシプロピルアミン、３‐イソプロピルオキシプロピルアミン、３‐ブトキシプロピルアミンなどを用いることができる。
なお、これらは、それぞれ単独で用いてもよく、また、２種類以上を組み合わせて用いてもよい。
【００４７】
（乾燥防止剤）
乾燥防止剤としては、例えば、尿素、チオ尿素、エチレン尿素、還元デンプン分解物、還元デキストリン、還元マルトデキストリンなどを用いることができる。
なお、これらは、それぞれ単独で用いてもよく、また、２種類以上を組み合わせて用いてもよい。
【００４８】
（増粘剤）
増粘剤としては、例えば、アラビアガム、トラガカントガム、ローカストビーンガム、グアーガム及びその誘導体、アルギン酸、アルギン酸塩、ペクチン、カラギーナン、ゼラチン、ガゼイン、ガゼインナトリウム、キサンタンガム、ラムザンガム、ウェランガム、ジェランガム、デキストラン、メチルセルロース、エチルセルロース、ヒドロキシエチルセルロース、カルボキシメチルセルロース、ヒドロキシプロピルセルロース、デンプングリコール酸ナトリウム、ラノリン誘導体、キトサン誘導体、ラクトアルブミン、ポリエチレンオキサイド、ポリエチレングリコール、ポリビニルアルコール、ポリビニルメチルエーテル、ポリビニルピロリドン及びその誘導体、ポリアクリル酸樹脂、架橋型ポリアクリル樹脂、ポリウレタン樹脂、アクリル樹脂のアルカリ金属塩などを用いることができる。なお、これらは、それぞれ単独で用いてもよく、また、２種類以上を組み合わせて用いてもよい。
【００４９】
（エマルジョン）
エマルジョンとしては、例えば、ポリスチレン、ポリメチルメタクリレート、ポリ塩化ビニル、ポリ酢酸ビニル、ベンゾグアナミン樹脂、エポキシ樹脂、α，βエチレン性不飽和酸（例えば、アクリル酸、メタクリル酸、マレイン酸など）、アクリル酸エステル及びメタクリル酸エステル（例えば、アクリル酸エチル、アクリル酸プロピル、アクリル酸ブチル、メタクリル酸メチル、メタクリル酸エチル、メタクリル酸プロピル、メタクリル酸ブチルなど）、ビニル芳香族化合物（例えばスチレン、ビニルトルエン）を共重合して得られるものなどを用いることができる。
なお、これらは、それぞれ単独で用いてもよく、また、２種類以上を組み合わせて用いてもよい。
【００５０】
（着色剤２０）
前記着色剤２０は、従来のインクの染料又は顔料に相当するものであり、従来のインクからビヒクルを除いた部分を主体とするものである。
例えば、従来のインクの染料又は顔料をそのまま用いることによって、固形状又は高濃度の液状の着色剤２０を調整することができる。
また、例えば、従来のインクのビヒクルに、極めて多量の染料又は顔料を溶解又は分散させることによって、高濃度の液状の着色剤２０を調整することもできる。
また、例えば、従来のインクのビヒクル中の所定の成分に、極めて多量の染料又は顔料を溶解又は分散させることによって、高濃度の液状の着色剤２０を調整することもできる。具体的には、この着色剤２０は、例えば、直接染料、酸性染料、塩基性染料、蛍光染料、又は食用染料などの染料、あるいは無機系顔料、有機系顔料、無機系蛍光顔料、又は有機系蛍光顔料などの顔料をそのまま用いることによって調整することができる。
【００５１】
また、水、水溶性有機溶剤、潤滑剤、防腐剤、防錆剤、ｐＨ調整剤、乾燥防止剤、増粘剤、又はエマルジョンなどを適宜配合したものに、上述した染料又は顔料を多量に溶解又は分散させることによって、着色剤２０を調整することもできる。更に、この場合において、顔料を分散させるには、顔料の分散剤として、例えば、ノニオン系界面活性剤、アニオン系界面活性剤、又は水溶性高分子などを適宜配合することが好ましい。
そして、この着色剤２０は、液状に調整されたものについては、液体誘導芯２１の一部に含浸させられる。これにより、着色剤２０は、筆記具の内部に、透明インク用液体３１とは分離して収納されることとなるのである。
なお、着色剤２０の筆記具内部への収納は、液体誘導芯２１に含浸させる場合に限られるものではない。例えば、コレクター５０の中心に設けた液体誘導孔５４に、固形状又は液状に調整した着色剤２０を充填してもよい。また、例えば、液体誘導孔５４の内周面に、液状に調整した着色剤２０を塗布して固化させてもよい。また、例えば、液体誘導芯２１の外周面に、液状に調整した着色剤２０を塗布して固化させてもよい。また、例えば、固形状に調整した着色剤２０を液体誘導芯２１の内部に埋め込んでもよい。更には、インク用カートリッジ３０以外の場所に、液状に調整した着色剤２０を保有すると共に、この着色剤２０が透明インク用液体３１の流れに従って透明インク用液体３１に徐々に添加されるようにしてもよい。
【００５２】
以下、更に、着色剤２０の調整に用いられる直接染料、酸性染料、塩基性染料、蛍光染料、食用染料、無機系顔料、有機系顔料、無機系蛍光顔料、有機系蛍光顔料、ノニオン系界面活性剤、アニオン系界面活性剤、及び水溶性高分子について詳述する。
【００５３】
（直接染料）
直接染料としては、例えば、Ｃ．Ｉ．ダイレクトブラック１７、同１９、同２２、同３２、同３８、同５１、同７１、Ｃ．Ｉ．ダイレクトイエロー４、同２６、同４４、同５０、Ｃ．Ｉ．ダイレクトレッド１、同４、同２３、同２８、同３１、同３７、同３９、同７５、同８０、同８１、同８３、同２２５、同２２６、同２２７、Ｃ．Ｉ．ダイレクトブルー１、同１５、同７１、同８６、同１０６、同１１９などを用いることができる。
なお、これらは、それぞれ単独で用いてもよく、また、２種類以上を組み合わせて用いてもよい。
【００５４】
（酸性染料）
酸性染料としては、例えば、Ｃ．Ｉ．アシッドブラック１、同２、同２４、同２６、同３１、同５２、同１０７、同１０９、同１１０、同１１９、同１５４、Ｃ．Ｉ．ソルベントブラック５、Ｃ．Ｉ．アシッドイエロー７、同１７、同１９、同２３、同２５、同２９、同３８、同４２、同４９、同６１、同７２、同７８、同１１０、同１４１、同１２７、同１３５、同１４２、Ｃ．Ｉ．アシッドレッド８、同９、同１４、同１８、同２６、同２７、同３５、同３７、同５１、同５２、同５７、同８２、同８７、同９２、同９４、同１１１、同１２９、同１３１、同１３８、同１８６、同２４９、同２５４、同２６５、同２７６、Ｃ．Ｉ．アシッドバイオレット１５、同１７、Ｃ．Ｉ．アシッドブルー１、同７、同９、同１５、同２２、同２３、同２５、同４０、同４１、同４３、同６２、同７８、同８３、同９０、同９３、同１０３、同１１２、同１１３、同１５８、Ｃ．Ｉ．アシッドグリーン３、同９、同１６、同２５、同２７などを用いることができる。なお、これらは、それぞれ単独で用いてもよく、また、２種類以上を組み合わせて用いてもよい。
【００５５】
（塩基性染料）
塩基性染料としては、例えば、Ｃ．Ｉ．ベーシックイエロー１、同２、同２１、Ｃ．Ｉ．ベーシックオレンジ２、同１４、同３２、Ｃ．Ｉ．ベーシックレッド１、同２、同９、同１４、Ｃ．Ｉ．ベーシックバイオレット１、同３、同７、Ｃ．Ｉ．ベーシックブラウン１２、Ｃ．Ｉ．ベーシックブラック２、同８、Ｃ．Ｉ．ソルベントバイオレッド８、Ｃ．Ｉ．ベーシックグリーン４、Ｃ．Ｉ．ソルベントブルー２、Ｃ．Ｉ．ソルベントレッド４９、Ｃ．Ｉ．ベーシックブルー９などを用いることができる。
なお、これらは、それぞれ単独で用いてもよく、また、２種類以上を組み合わせて用いてもよい。
【００５６】
（蛍光染料）
蛍光染料としては、例えば、Ｃ．Ｉ．アシッドイエロー７、又はＣ．Ｉ．ベーシックレッド１などを用いることができる。
なお、これらは、それぞれ単独で用いてもよく、また、２種類以上を組み合わせて用いてもよい。
【００５７】
（食用染料）
食用染料は、その大部分が直接染料又は酸性染料に含まれるが、これらに含まれないものとしては、例えば、Ｃ．Ｉ．フードイエロー３を用いることができる。
【００５８】
（無機系顔料）
無機系顔料としては、例えば、酸化チタン、カーボンブラック、ベンガラ、酸化クロム、鉄黒、コバルトブルー、アルミナホワイト、酸化鉄黄、ビリジアン、硫化亜鉛、リトポン、カドミウムイエロー、朱、カドミウムレッド、黄鉛、モリブデードオレンジ、ジンククロメート、ストロンチウムクロメート、ホワイトカーボン、クレー、タルク、群青、沈降性硫酸バリウム、バライト粉、炭酸カルシウム、鉛白、紺青、マンガンバイオレット、アルミニウム粉、ステンレス粉、ニッケル粉、銅粉、亜鉛粉、真鍮粉などを用いることもできる。
なお、これらは、それぞれ単独で用いてもよく、また、２種類以上を組み合わせて用いてもよい。
【００５９】
（有機系顔料）
有機系顔料としては、例えば、アゾレーキ、不溶性アゾ顔料、キレートアゾ顔料、フタロシアニン顔料、ペリレン及びペリノン顔料、アントラキノン顔料、キナクリドン顔料、染料レーキ、ニトロ顔料、ニトロソ顔料などの有機系顔料、より具体的には、フタロシアニンブルー（Ｃ．Ｉ．７４１６０）、フタロシアニングリーン（Ｃ．Ｉ．７４２６０）、ハンザイエロー３Ｇ（Ｃ．Ｉ．１１６７０）、ジスアゾイエローＧＲ（Ｃ．Ｉ．２１１００）、パーマネントレッド４Ｒ（Ｃ．Ｉ．１２３３５）、ブリリアントカーミン６Ｂ（Ｃ．Ｉ．１５８５０）、キナクリドンレッド（Ｃ．Ｉ．４６５００）などを用いることもできる。
なお、これらは、それぞれ単独で用いてもよく、また、２種類以上を組み合わせて用いてもよい。
【００６０】
（無機系蛍光顔料）
無機系蛍光顔料としては、例えば、硫化亜鉛などの重金属塩、あるいはアルカリ土類金属の硫化物の高純度のものに、微量の銅、銀、マンガンなどの活性化剤を添加して、高温焼成させたものを用いることができる。
【００６１】
（有機系蛍光顔料）
有機系蛍光顔料としては、例えば、蛍光染料を合成樹脂のビヒクルに溶解させた固溶体を用いることができる。なお、ここでいう蛍光染料としては、Ｃ．Ｉ．アシッドイエロー７や、Ｃ．Ｉ．ベーシックレッド１などがあり、また、ここでいう合成樹脂としては、塩化ビニル樹脂や、アルキド樹脂や、アルカリ樹脂などがある。
【００６２】
（ノニオン系界面活性剤）
ノニオン系界面活性剤としては、例えば、ポリオキシアルキレン高級脂肪酸エステル、多価アルコールの高級脂肪酸部分エステル、糖の高級脂肪酸エステルなどである。
より具体的には、グリセリンの脂肪酸エステル、ポリグリセリン脂肪酸エステル、プロピレングリコール脂肪酸エステル、ペンタエリスリトール脂肪酸エステル、ポリオキシエチレンソルビタン脂肪酸エステル、ポリオキシエチレンソルビット脂肪酸エステル、ポリオキシエチレングリセリン脂肪酸エステル、ポリエチレングリコール脂肪酸エステル、ポリオキシエチレンアルキレルエーテル、ポリオキシエチレンフィトステロール、ポリオキシエチレンポリオキシプロピレンアルキルエーテル、ポリオキシエチレンアルキルフェニルエーテル、ポリオキシエチレンヒマシ油、ポリオキシエチレンラノリン、ポリオキシエチレンラノリンアルコール、ポリオキシエチレンアルキルアミン、ポリオキシエチレン脂肪酸アミド、ポリオキシエチレンアルキルフェニルホルムアルデヒド縮合物などを用いることができる。
なお、これらは、それぞれ単独で用いてもよく、また、２種類以上を組み合わせて用いてもよい。
【００６３】
（アニオン系界面活性剤）
アニオン系界面活性剤としては、高級脂肪酸アミドのアルキル化スルフォン酸塩や、アルキルアリルスルフォン酸塩など、より具体的には、アルキル硫酸塩、ポリオキシエチレンアルキルエーテル硫酸塩、Ｎ−アシルアミノ酸塩、Ｎ−アシルメチルタウリン塩、ポリオキシエチレンアルキルエーテル酢酸塩、アルキルリン酸塩、ポリオキシエチレンアルキルエーテルリン酸塩などを用いることができる。
なお、これらは、それぞれ単独で用いてもよく、また、２種類以上を組み合わせて用いてもよい。
【００６４】
（水溶性高分子）
水溶性高分子としては、ポリアクリル酸、アクリル酸共重合体、マレイン酸樹脂など、より具体的には、アクリル樹脂、スチレンアクリル酸樹脂、スチレンマレイン酸樹脂などの樹脂を塩の形にして水溶性にしたものを用いることができる。なお、塩を形成するアルカリ金属としては、ナトリウムや、カリウムなどがあり、また、塩を形成するアミンとしては、モノー、ジー、又はトリーメチルアミンなどの脂肪族第１？３級アミン、モノー、ジー、又はトリープロパノールアミン、メチルエタノールアミン、メチルプロパノールアミンジメチルエタノールアミンなどのアルコールアミンその他アンモニア、モルホリン及びＮ−メチルホリンなどがある。
なお、これらは、それぞれ単独で用いてもよく、また、２種類以上を組み合わせて用いてもよい。
【００６５】
（規制部材４０）
前記規制部材４０は、透明インク用液体３１と着色剤２０との間に設けられ、透明インク用液体３１が着色剤２０方向へ向けて移動することは妨げないものの、着色剤２０が透明インク用液体３１方向へ向けて移動することを規制するものである。
前述したように、本実施形態における規制部材４０は、活性炭４１と繊維芯４２である。
【００６６】
（非溶解物３２）
前記非溶解物３２は、透明インク用液体３１に溶けない固形物であって、比重差が１５％以内のものである。
また、透明インク用液体３１中に入れられる大きさに限られる。例えば、プラスチック製の薄板、プラスチック製の小物、金属製の薄膜、金属製の小物、金属粉、又はガラス製の小物などによって形成することができる。また、非溶解物３２としてのプラスチック製の薄板の表面に、例えば、商品名、企業名、あるいはキャラクターなどを付することができる。
透明インク用液体３１中に、非溶解物３２としてのプラスチック製の小物や、金属粉や、あるいはガラス製の小物などを封入しておくと、筆記時などにこれらが透明インク用液体３１中で揺れ動き、また、商品名、企業名、あるいはキャラクターなどを付したプラスチック製の薄板を封入しておくと、従来のインクでは読み取ることができなかったような文字などを視認させることができるのである。
非溶解物３２の比重の調整は、例えば使用する材質を選択することにより行うことができる。また、複数の種類の材料を配合や組み合わせることで比重を調整することもできる。また、内部に気体や液体を封入することでも比重の調整をすることができる。また、材質は、樹脂のみに限られず金属であっても使用することができる。尚、比重の調整はこれらに限定されないことはいうまでもない。
【００６７】
このように、本実施の形態に係る筆記具は、透明インク用液体３１と着色剤２０とを分離して収納すると共に、透明インク用液体３１がペン先部材１０へ誘導される途中で、着色剤２０が透明インク用液体３１に添加されるように形成することにより、ペン先部材１０では所定の色彩を呈するインクで筆記できるものの、見た感じが従来の筆記具とはまったく異なるようにしているのである。
また、本実施の形態に係る筆記具は、透明インク用液体３１と着色剤２０との間に、規制部材４０を設けることにより、着色剤２０が透明インク用液体３１中に混入しにくくなるようにして、見た感じがまったく異なる様子を長期にわたって保ち続けるようにしているのである。
更に、本実施の形態に係る筆記具は、透明インク用液体３１中に、非溶解物３２を封入することにより、筆記時にこの非溶解物３２が透明インク用液体３１中で揺れ動くようにして、見た感じが非常に面白くなるようにしたり、あるいは宣伝広告効果が極めて高まるようにしているのである。
【００６８】
なお、本実施の形態では、コレクター５０を備えた筆記具を示したが、本発明は、コレクター５０を備えた筆記具に限定されるものではなく、例えば、コレクター５０を備えていない直液式のサインペン、マーカーペン、あるいはボールペンにも用いることができる。
【００６９】
【実施例】
以下、透明インク用液体の比重の一例を、実施例により示す。
下記の構成の透明インク用液体３１を製造した。
【００７０】
グリセリン（溶剤）　　　　　　　　　：１０重量％
ジエチレングリコ−ル（溶剤）　　　　：１０重量％
２−ピロリドン（溶剤）　　　　　　　：１０重量％
ベンゾトリアゾ−ル（防錆剤）　　　　：０．１重量％
トリエタノ−ルアミン（ｐＨ調整剤）　：０．５重量％
フォスファノ−ルＲＥ−６１０（潤滑剤、東邦化学工業株式会社製）：０．０５重量％
プロキセルＧＸＬ（防腐剤、ゼネカ株式会社製）　　　　　　　　　：０．１重量％
精製水　　　　　　　　　　　　　　　：６９．２５重量％
【００７１】
更に、以下の組成の着色剤２０を製造した。
食用赤１０４号（染料）　　　　　　　：２０重量％
エチルアルコール（溶剤）　　　　　　：８０重量％
【００７２】
そして、上記インク用液体３１を、上記実施の形態で示した筆記具の透明インク用カートリッジ３０に収納するとともに、上記着色剤２０を、上記の実施の形態で示した筆記具の液体誘導芯２１に含浸後、乾燥させた。
【００７３】
（透明インク用液体の比重等）
上記実施例の透明インク用液体の比重測定を行った。その結果、比重は１．０５２であった。
また、筆記先端であるペン先部材１０からは、所定の色彩を呈するインクで筆記することができた。
【００７４】
【発明の効果】
請求項１から請求項６記載の発明によれば、新たな広告宣伝機能を達成する新たなデザインを採用した筆記具を提供することができた。
また、請求項７から請求項９記載の発明によれば、新たな広告宣伝機能を達成する新たなデザインを採用した筆記具におけるインクカートリッジを提供することができた。
【図面の簡単な説明】
【図１】本発明の実施の形態に係る筆記具の要部側面断面図。
【符号の説明】
１０　ペン先部材
２０　着色剤
３０　透明インク用液体用カートリッジ　　　　３１　透明インク用液体
３２　非溶解物
４０　規制部材　　　　　　４１　活性炭
４２　繊維芯
５０　コレクター
８０　軸部材
【図１】
2004050653.tif 000003